(57)【特許請求の範囲】
【請求項１】
ポリアルキレン（ｐｏｌｙａｌｋｙｌｅｎｅ）、アミン、ＰＯＮが同一分子上にあり、スケール分散性及び抗酸化性を具備し、その化学式は、
（Ｒ1 Ｒ2 ）X ＰＯＲ23-X
であり、そのうちＲ1 、Ｒ2 はそれぞれポリアルキレン、ポリエーテルアミン（ｐｏｌｙ  ｅｔｈｅｒａｍｉｎｅ）或いはオキシアルケン（ｏｘｙ−ａｌｋｅｎｅ）を有するポリアミンより選択し、Ｏは酸素、Ｐはリン、ｘは１又は２であることを特徴とする、スケール形成防止剤組成物。
【請求項２】
請求項１に記載のスケール形成防止剤組成物において、油溶性とされたことを特徴とする、スケール形成防止剤組成物。
【請求項３】
請求項１に記載のスケール形成防止剤組成物において、以下の成分（ａ）と（ｂ）、即ち、
（ａ）化学式  Ｒ2 X ＰＯＲ23-Xで示されるＰＯＮと、
（ｂ）化学式  Ｒ1 で示される塩化物或いは酸無水物の低重合ポリアルキレンとを反応させて得られることを特徴とする、スケール形成防止剤組成物。
【請求項４】
請求項３に記載のスケール形成防止剤組成物において、（ｂ）を常圧で（ａ）中に導入して、１００〜１５０℃、３〜４時間反応させて得られることを特徴とする、スケール形成防止剤組成物。
【請求項５】
請求項３に記載のスケール形成防止剤組成物において、ＰＯＮは以下の成分（ｃ）と（ｄ）、即ち、
（ｃ）ＰＯＣｌ3 と、
（ｄ）ポリエーテルアミン或いはオキシアルケン（ｏｘｙ−ａｌｋｅｎｅ）を有するポリアミンと、
を反応させて得られることを特徴とする、スケール形成防止剤組成物。
【請求項６】
請求項５に記載のスケール形成防止剤組成物において、ＰＯＮは、（ｃ）：（ｄ）のモル比を約１：３として約６０℃で４時間反応させて得られることを特徴とする、スケール形成防止剤組成物。
【請求項７】
請求項５に記載のスケール形成防止剤組成物において、ポリアミンは、以下のａからｉ、即ち、
ａ．Ｈ2 ＮＣＨ2 ＣＨ2 ＮＨ2 （エチレンジアミン；ＥＤＡ）
ｂ．Ｈ2 Ｎ（ＣＨ2 ）6 ＮＨ2 （１，６−ジアミノヘキサン）
ｃ．Ｈ2 Ｎ（ＣＨ2 ）2 ＮＨ（ＣＨ2 ）2 ＮＨ2 （ジエチレントリアミン；ＤＥＴＡ）
ｄ．Ｈ2 ＮＣ（ＣＨ3 ）ＨＣＨ2 （ＯＣＨ2 Ｃ（ＣＨ3 ）Ｈ）x ＮＨ2 （ｘ＝２〜３，Ｄ−２３０）
ｅ．Ｈ2 Ｎ（ＣＨ2 ）2 ＮＨ（ＣＨ2 ）2 ＮＨ（ＣＨ2 ）2 ＮＨ2 （トリエチレンテトラミン；ＴＥＴＡ）
ｆ．（ＣＨ3 ＣＨ2 ）2 Ｎ（ＣＨ2 ）3 ＮＨ2 （Ｎ，Ｎ−ジエチル−１，３−プロパンジアミン）
ｇ．Ｈ2 Ｎ（ＣＨ（ＣＨ3 ）Ｈ2 ＣＯ）X Ｈ2 Ｃ2 （ＣＨ2 （ＯＣＨ2 Ｃ（ＣＨ3 ）Ｈ）X ＮＨ2 ）2 Ｃ2 Ｈ5
ｈ．Ｈ2 Ｎ（ＣＨ2 ＣＨ2 Ｏ）2 ＣＨ2 ＣＨ2 ＮＨ2
ｉ．（ＣＨ3 ）2 Ｎ（ＣＨ2 ）3 ＮＨ2 （Ｎ，Ｎ−ジメチル−１，３−プロパンジアミン）
より選択されることを特徴とする、スケール形成防止剤組成物。
【請求項８】
請求項３に記載のスケール形成防止剤組成物において、低重合ポリアルキレンが、重合反応プロセスの後にさらに塩化物或いは酸無水物を導入し合成して得られることを特徴とする、スケール形成防止剤組成物。
【請求項９】
スケール形成防止剤組成物において、該スケール形成防止剤組成物の化学構造式は、
【化１】
0003597770.tif 000008
とされ、
Ｒ3 、Ｒ4 はアルキル，例えばポリイソブチレニル（ｐｏｌｙｉｓｏｂｕｔｙｌｅｎｅｙｌ）、ポリエーテル或いはポリ（オキシアルキル）（ｐｏｌｙ（ｏｘｙａｌｋｙｌ））より選択され、Ｏは酸素、Ｐはリン、ｘは１又は２であることを特徴とする、スケール形成防止剤組成物。
【請求項１０】
請求項９に記載のスケール形成防止剤組成物において、
その化学構造式が、
【化２】
0003597770.tif 000009
であり、そのうちＲ5 は水素或いはその他のアルキルより選択され、ｙは１から２０の整数とされることを特徴とする、スケール形成防止剤組成物。
【発明の詳細な説明】
【０００１】
【発明の属する技術分野】
本発明は、スケール分散性と抗酸化性質を有する組成に係り、特に、工業製品製造過程で添加される添加剤であり、発電所、製油工場及びその他の化学工場の熱交換器、反応炉及び蒸留塔及びその他の類似の設備及び産業において応用可能である、スケール形成防止剤組成物に関する。
【０００２】
【従来の技術】
スケール形成防止剤は、特殊な化学品であり、石化及び製油工場において使用される。石化中間体生産及び製油工程（石油分解、合成、及び脱エチレンステップを含む）において、温度が２００〜５００℃に達すると、反応炉中の炭化水素化合物は酸化と重合反応によりスケールの堆積を発生する。スケールが管線及び炉壁に累積し、長期にスケールが累積すると、工程の流量に影響したり、バルブや管路を塞いだり、熱伝導に影響を与え、エネルギー資源の浪費を形成するため、定期的に機械を停止して洗浄しなければならず、このため生産能の低減がもたらされた。ゆえにスケール形成防止剤の添加は化学工場でよく行われ、スケール形成防止剤は重要な特殊化学品とされている。
【０００３】
スケールの発生は、化学現象であり、スケールの源は、通常、不純物或いは炭化水素化合物自体が、酸化作用で自由基の反応機構により高分子重合物を発生し、さらにそれが分解し形成したゴム質或いは炭酸化のコークスとされる。このほかもし金属不純物（特にＣｕ、Ｆｅ類）により自由基が加速されるとスケールの堆積はさらに厳重となる。このためスケール形成防止剤組成物は通常、良好な抗酸化剤及びメタル系活性除去剤とされ、その種類は非常に多く、応用上も使用する原料加工により異なっている。例えば米国パテント第４，７７５，４９５号は石化業製品製造工程中の酸化制御の方法について記載し、米国パテント第５，２１１，８３６号、第５，２２６，１８６号もまたそれぞれ各種工程中に適用される抗酸化剤及び界面分散原理について記載しており、比較的経済的な方法を獲得している。
【０００４】
【発明が解決しようとする課題】
本発明は一種のスケール形成防止剤組成物を提供することを課題とし、それは、スケール分散性と抗酸化性質を具え、分散性は分子式中の親油／親水の平衡界面剤分散原理により得て、両性質を一つの同じ分子において結合佐瀬、優良なスケール形成防止剤とし、製油及びその他の化学工場の工程に応用され、抗酸化とスケール堆積防止の効果を提供するものとする。
【０００５】
【課題を解決するための手段】
請求項１の発明は、ポリアルキレン（ｐｏｌｙａｌｋｙｌｅｎｅ）、アミン、ＰＯＮが同一分子上にあり、スケール分散性及び抗酸化性を具備し、その化学式は、
（Ｒ1 Ｒ2 ）X ＰＯＲ23-X
であり、そのうちＲ1 、Ｒ2 はそれぞれポリアルキレン、ポリエーテルアミン（ｐｏｌｙ  ｅｔｈｅｒａｍｉｎｅ）或いはオキシアルケン（ｏｘｙ−ａｌｋｅｎｅ）を有するポリアミンより選択し、Ｏは酸素、Ｐはリン、ｘは１又は２であることを特徴とする、スケール形成防止剤組成物としている。
請求項２の発明は、請求項１に記載のスケール形成防止剤組成物において、油溶性とされたことを特徴とする、スケール形成防止剤組成物としている。
請求項３の発明は、請求項１に記載のスケール形成防止剤組成物において、以下の成分（ａ）と（ｂ）、即ち、
（ａ）化学式  Ｒ2 X ＰＯＲ23-Xで示されるＰＯＮと、
（ｂ）化学式  Ｒ1 で示される塩化物或いは酸無水物の低重合ポリアルキレンとを反応させて得られることを特徴とする、スケール形成防止剤組成物としている。
請求項４の発明は、請求項３に記載のスケール形成防止剤組成物において、（ｂ）を常圧で（ａ）中に導入して、１００〜１５０℃、３〜４時間反応させて得られることを特徴とする、スケール形成防止剤組成物としている。
請求項５の発明は、請求項３に記載のスケール形成防止剤組成物において、ＰＯＮは以下の成分（ｃ）と（ｄ）、即ち、
（ｃ）ＰＯＣｌ3 と、
（ｄ）ポリエーテルアミン或いはオキシアルケン（ｏｘｙ−ａｌｋｅｎｅ）を有するポリアミンと、
を反応させて得られることを特徴とする、スケール形成防止剤組成物としている。
請求項６の発明は、請求項５に記載のスケール形成防止剤組成物において、ＰＯＮは、（ｃ）：（ｄ）のモル比を約１：３として約６０℃で４時間反応させて得られることを特徴とする、スケール形成防止剤組成物としている。
請求項７の発明は、請求項５に記載のスケール形成防止剤組成物において、ポリアミンは、以下のａからｉ、即ち、
ａ．Ｈ2 ＮＣＨ2 ＣＨ2 ＮＨ2 （エチレンジアミン；ＥＤＡ）
ｂ．Ｈ2 Ｎ（ＣＨ2 ）6 ＮＨ2 （１，６−ジアミノヘキサン）
ｃ．Ｈ2 Ｎ（ＣＨ2 ）2 ＮＨ（ＣＨ2 ）2 ＮＨ2 （ジエチレントリアミン；ＤＥＴＡ）
ｄ．Ｈ2 ＮＣ（ＣＨ3 ）ＨＣＨ2 （ＯＣＨ2 Ｃ（ＣＨ3 ）Ｈ）x ＮＨ2 （ｘ＝２〜３，Ｄ−２３０）
ｅ．Ｈ2 Ｎ（ＣＨ2 ）2 ＮＨ（ＣＨ2 ）2 ＮＨ（ＣＨ2 ）2 ＮＨ2 （トリエチレンテトラミン；ＴＥＴＡ）
ｆ．（ＣＨ3 ＣＨ2 ）2 Ｎ（ＣＨ2 ）3 ＮＨ2 （Ｎ，Ｎ−ジエチル−１，３−プロパンジアミン）
ｇ．Ｈ2 Ｎ（ＣＨ（ＣＨ3 ）Ｈ2 ＣＯ）X Ｈ2 Ｃ2 （ＣＨ2 （ＯＣＨ2 Ｃ（ＣＨ3 ）Ｈ）X ＮＨ2 ）2 Ｃ2 Ｈ5
ｈ．Ｈ2 Ｎ（ＣＨ2 ＣＨ2 Ｏ）2 ＣＨ2 ＣＨ2 ＮＨ2
ｉ．（ＣＨ3 ）2 Ｎ（ＣＨ2 ）3 ＮＨ2 （Ｎ，Ｎ−ジメチル−１，３−プロパンジアミン）
より選択されることを特徴とする、スケール形成防止剤組成物としている。
請求項８の発明は、請求項３に記載のスケール形成防止剤組成物において、低重合ポリアルキレンが、重合反応プロセスの後にさらに塩化物或いは酸無水物を導入し合成して得られることを特徴とする、スケール形成防止剤組成物としている。
請求項９の発明は、スケール形成防止剤組成物において、該スケール形成防止剤組成物の化学構造式は、
【化３】
0003597770.tif 000002
とされ、
Ｒ3 、Ｒ4 はアルキル，例えばポリイソブチレニル（ｐｏｌｙｉｓｏｂｕｔｙｌｅｎｅｙｌ）、ポリエーテル或いはポリ（オキシアルキル）（ｐｏｌｙ（ｏｘｙａｌｋｙｌ））より選択され、Ｏは酸素、Ｐはリン、ｘは１又は２であることを特徴とする、スケール形成防止剤組成物としている。
請求項１０の発明は、請求項９に記載のスケール形成防止剤組成物において、
その化学構造式が、
【化４】
0003597770.tif 000003
であり、そのうちＲ5 は水素或いはその他のアルキルより選択され、ｙは１から２０の整数とされることを特徴とする、スケール形成防止剤組成物としている。
【０００６】
【発明の実施の形態】
本発明のスケール形成防止剤の組成は、ポリアルキレン（ｐｏｌｙａｌｋｙｌｅｎｅ）、アミン、ＰＯＮが同一分子上にあり、スケール分散性及び抗酸化性を具備する。その化学式は、
（Ｒ１  Ｒ２  ）Ｘ  ＰＯＲ２３−Ｘ
であり、そのうちＲ１  、Ｒ２  はそれぞれポリアルキレン、ポリエーテルアミン（ｐｏｌｙ  ｅｔｈｅｒａｍｉｎｅ）或いはオキシアルケン（ｏｘｙ−ａｌｋｅｎｅ）を付帯するポリアミンより選択する。Ｏは酸素、Ｐはリン、ｘは１又は２である。
【０００７】
実施時には、上述は化学式（Ｒ１  Ｒ２  ）Ｘ  ＰＯＲ２３−Ｘ  は以下の化学構造式５とされる。
【化５】
0003597770.tif 000004
Ｒ３  はアルキル，例えばポリイソブチレニル（ｐｏｌｙｉｓｏｂｕｔｙｌｅｎｅｙｌ）
Ｒ４  はポリ（オキシアルキル）（ｐｏｌｙ（ｏｘｙａｌｋｙｌ）），例えばポリ（オキシプロピレン）（ｐｏｌｙ（ｏｘｙｐｒｏｐｙｌｅｎｅ））
ｘは１又は２
【０００８】
上述の化学構造式５の物質は、以下の化学方程式６により製造される。
【化６】
0003597770.tif 000005
【０００９】
本発明の製造方法の主要なステップは以下のとおりである。
アルキレン類（石化中間物）を低重合反応させて製造したポリアルキレンの一つを選択し、さらに誘導体である酸無水物を得て、さらにこの酸無水物とＰＯＮを反応させて添加物製品を得る。この添加物製品はその油溶性が高く並びに結合効果を提供する少なくとも二つのアミンと抗酸化性質を提供するリン化物を有している。その特殊性と新規性は二種類以上の性質が同一の分子構造にあることであり、ゆえに優良なスケール形成防止剤とされ、並びに製油工場やその他の化学工場で用いられうる。
【００１０】
【実施例】
本発明は良好な抗酸化性とスケール堆積防止性を有するスケール形成防止剤であり、同一分子構造にオイルベースポリアルキレン、アミン及びＰＯＮ類を有している。ポリアルキレン中に、抗酸化性質を提供するリン化物を有し、アミン中に結合能力を提供するアミノを有するため、一つの分子が同時にスケール分散性と抗酸化性を有し、ゆえに良好なスケール形成防止剤とされる。
【００１１】
本発明中、ポリアルキレンは、アルキレン類を低重合反応させて得たオイルベースのポリアルキレンとされ、その分子量は６００以上であり、且つ６００から１５００とされるのが望ましい。望ましいポリアルキレンはポリイソブチレン（ＰＩＢ）とされる。本発明中、アミンはポリエーテルアミン（ｐｏｌｙｅｔｈｅｒａｍｉｎｅｓ）或いはオーガニックファンクションを有するポリオキシアルキレンアミン（ｐｏｌｙ（ｏｘｙａｌｋｙｌｅｎｅ）ａｍｉｎｅｓ）とされ、且つ単一、二つ、三つ或いはそれ以上の官能基を具えたアミンとされ、そのポリアミンは例えば以下に示される物質より選択される。
ａ．Ｈ２  ＮＣＨ２  ＣＨ２  ＮＨ２  （エチレンジアミン；ＥＤＡ）
ｂ．Ｈ２ Ｎ（ＣＨ２ ）６ ＮＨ２ （１，６−ジアミノヘキサン）
ｃ．Ｈ２ Ｎ（ＣＨ２ ）２ ＮＨ（ＣＨ２ ）２ ＮＨ２ （ジエチレントリアミン；ＤＥＴＡ）
ｄ．Ｈ２  ＮＣ（ＣＨ３  ）ＨＣＨ２  （ＯＣＨ２  Ｃ（ＣＨ３  ）Ｈ）ｘ  ＮＨ２  （ｘ＝２〜３，Ｄ−２３０）
ｅ．Ｈ２ Ｎ（ＣＨ２ ）２ ＮＨ（ＣＨ２ ）２ ＮＨ（ＣＨ２ ）２ ＮＨ２ （トリエチレンテトラミン；ＴＥＴＡ）
ｆ．（ＣＨ３ ＣＨ２ ）２ Ｎ（ＣＨ２ ）３ ＮＨ２ （Ｎ，Ｎ−ジエチル−１，３−プロパンジアミン）
ｇ．Ｈ２ Ｎ（ＣＨ（ＣＨ３ ）Ｈ２ ＣＯ）Ｘ Ｈ２ Ｃ２ （ＣＨ２ （ＯＣＨ２ Ｃ（ＣＨ３ ）Ｈ）Ｘ ＮＨ２ ）２ Ｃ２ Ｈ５ 
ｈ．Ｈ２  Ｎ（ＣＨ２  ＣＨ２  Ｏ）２  ＣＨ２  ＣＨ２  ＮＨ２
ｉ．（ＣＨ３  ）２  Ｎ（ＣＨ２  ）３  ＮＨ２  （Ｎ，Ｎ−ジメチル−１，３−プロパンジアミン）
【００１２】
アミンの有する分子量は少なくとも２００とされ、且つ望ましくは２００から２０００とされる。
【００１３】
本文中で使用するスケ  ル形成防止剤の良好な構造は以下の化学構造式７に示される。
【化７】
0003597770.tif 000006
Ｒ３  ＝ＰＩＢ
Ｒ５  ＝Ｈ，ＣＨ３  又はＣ２  Ｈ５
ｘ＝１又は２
ｙ＝１〜２０
【００１４】
化学構造式７中にはポリオキシアルキレンアミン、ＰＩＢ基及びリン化学基が共に存在する。
【００１５】
本発明の合成方法によると、ＰＯＣｌ３  とポリエーテルアミン（ｐｏｌｙｅｔｈｅｒａｍｉｎｅｓ）をカップリングさせて生成し、並びにＨＣｌを除去して一つの化合物を得て、別に原料イソブチレン（石化中間体）を低重合反応させて分子量が少なくとも８００から２０００のＰＩＢを生成し、さらにこのＰＩＢを反応合成させ分子量が３００から２０００のＰＩＢ−ＳＡを得る。該化合物をこのＰＩＢ−ＳＡと反応させて最終製品を得る（図１の本発明のスケール形成防止剤の実施例の製造工程と反応化学方程式表示図を参照されたい。）。
【００１６】
本発明によるスケール形成防止剤は、任意の発電工場及び化学工場の熱交換器、反応炉、及び蒸留塔などに使用され、並びにＡＳＴＭ  Ｄ３２４１の試験法を運用し、本発明の範囲内で各種の新たなスケール形成防止剤を開発して各工場の材料の違いに対応した添加剤とすることができる。
【００１７】
本発明の各方面の効果及び利益及び具体的実施例について、以下の実施例を挙げて説明を行い、そのうち実施例は以下のテストプロセスを利用する。
【００１８】
実施例：
２倍量のＴＨＦをＰＯＣｌ３  （５．４ｇ，０．０３５モル）とポリエーテルジアミン（ｐｏｌｙｅｔｈｅｒｄｉａｍｉｎｅ）（２４．１５ｇ．０．１０５モル）に溶解させる。室温下でＰＯＣｌ３  をポリエテルジアミン中に滴下し、その過程で約１０℃放熱する。６０℃まで加熱して４時間反応させ、室温下で減圧濃縮しＴＨＦを除去し、さらに濃縮完了したサンプルをＣＨＣｌ３  に溶かし、ＮａＨＣＯ３  水溶液を加えて中和反応させる過程でＨＣｌを生成させ、その後、有機層を抽出する。減圧濃縮しＣＨＣｌ３  を除去し、中間生成物（符号Ｂ１）を得る。ＰＩＢ−ＳＡ（１１．０２ｇ，０．００９９１モル）を三頸瓶中に入れ、さらにＢ１（４．８５３２ｇ，０．００６１２モル）及び過量のトルエンを溶剤として加え、攪拌して１００℃に加熱し４時間反応させ、トルエンを減圧濃縮除去して最終製品を得て、これをＦＴ−ＩＲ鑑定する。結果は、６０℃反応温度下で、ＦＴ−ＩＲ鑑定サンプルが１０２０．４ｃｍ−１及び９０７．１ｃｍ−１及び１５９２．２ｃｍ−１の三つの吸収ピークを有し、Ｏ＝Ｐ−Ｎ−Ｈを有することが確認された。第２ステップにあって、１００℃時に１６４１．９ｃｍ−１と１５４３．３ｃｍ−１（弱）の吸収ピークを有することによりアミノ酸を有することが確認された。また反応の完成は、１７８６．０ｃｍ−１（強）及び１８６２．２ｃｍ−１（弱）の二つの吸収ピークが完全に消失したことを観測することにより確認できる。
【００１９】
以下の試験プロセスは以下の実施例内で使用される抗酸化剤の分析性質を測定及び評価するのに用いられる。以下の実施例内で使用される抗酸化剤の△Ｔ（抗酸化剤添加後の△Ｔ値を示す）は、ＡＳＴＭ  Ｄ３２４１に記載の試験プロセスにより測定される。
【００２０】
表１は８０℃下で生成された各種の組成の抗酸化剤を示し、ＡＳＴＭ  Ｄ３２４１による３時間内の産物の抗酸化効果と１級、２級、３級アミンの滴定値も示されている。表１中、ＰＯＣｌ３  とＤＣＰはリン基を有し、ポリエーテルジアミン（Ｄ−２３０，表１参照）及びフェニレンジアミンはアミノを有する。結果から分かることは、Ａ１とＡ３を比較、或いはＡ２とＡ４の比較により、Ｄ−２３０を有する組成物は１級と２級アミンの性質を示し、ゆえにより良好な結合効果を表現できることである。また、Ａ１とＡ３を比較すると分かるように、Ｄ−２３０を有する抗酸化剤の△Ｔは、フェニレンジアミンを有する抗酸化剤の△Ｔより高い。ゆえに、Ｄ−２３０を有するＡ１はより良好な抗酸化能力を有する。
【表１】
0003597770.tif 000007
【００２１】
図２は本発明のスケール形成防止剤を加えたＡＳＴＭ  Ｄ３２４１の試験プロットである。試験圧力及び温度はそれぞれ５００ｐｓｉ及び３７１℃である。１５０ｐｐｍ抗酸化剤を１．５ｃｃ／ｍｉｎの流速で添加する。図２より分かるように、石油精製過程中、試験の△Ｔは反応時間と共に増加する。抗酸化剤Ｂ１を加えた後、試験の△Ｔは同一反応期間にあって、実質的に減少する。ゆえに、反応時間の増加によるスケール形成と過酸化の欠点が回避される。
【００２２】
もう一つのテスト結果は、図３に示され、それは原油にその他のスケール形成防止剤と本発明のスケール形成防止剤を添加した比較試験結果を示す。試験圧力５００ｐｓｉ、及び温度３７１℃で、１５０ｐｐｍの抗酸化剤を流速１．５ｃｃ／ｍｉｎで添加したところ、本発明のスケール形成防止剤製品Ａ３は、スケール形成防止剤未添加の原油の温度差を減少したが、商品化されたスケール形成防止剤の効果は達成するに至らなかった。しかし、本発明によるもう一種類のスケール形成防止剤Ａ１を添加したところ、その効果は商品化されたスケール形成防止剤のレベルまたはそれ以上に達した。
【００２３】
【発明の効果】
本発明による抗酸化剤は、異なる製造過程により適宜組成のものを捜し出すことができ、その温度制御と抗酸化性を利用し、発電工場、製油工場及びその他の化学工場の熱交換器、反応炉及び蒸留塔、及びその他の類似の設備及び産業において運用可能である。なお、以上のスケール形成防止剤の実施例は説明のために例示したものに過ぎず、本発明の請求範囲を限定するものではない。
【図面の簡単な説明】
【図１】本発明のスケール形成防止剤の一つの実施例の製造工程及び反応化学方程式表示図である。
【図２】本発明のスケール形成防止剤を添加したＡＳＴＭ  Ｄ３２４１試験結果図である。
【図３】原油に本発明による異なるスケール形成防止剤とすでに商品化されたスケール形成防止剤を添加してのＡＳＴＭ  Ｄ３２４１試験結果比較図である。
【図１】
0003597770.tif 000010
【図２】
0003597770.tif 000011
【図３】
0003597770.tif 000012